(57)【要約】【課題】皮切部からの挿入がスムーズに行えるとともに、血管（又は臓器等)と癒着組織とを剥離させながら押し進めても、挙上補助具の外表面で挙上した剥離後の癒着組織を、挙上補助具の外表面の幅方向で滑ることなく、安定した挙上状態で保持できる挙上補助具を提供すること。【解決手段】処置具が挿入可能な管状の本体部２と、該本体部２の一端に配設され、処置具の作業空間を形成する窪み３ｃを有する先端部３とからなり、表皮４１の皮切部４０から挿入して、癒着した組織同士を剥離する際に用いられる挙上補助具１において、先端部３の外表面３ａに、本体部２の軸心と平行に複数の溝部４を形成する。【選択図】図１
2010099388.tif 000002
【特許請求の範囲】
【請求項１】
処置具が挿入可能な管状の本体部と、該本体部の一端に配設され、処置具の作業空間を形成する窪みを有する先端部とからなり、表皮の皮切部から挿入して、癒着した組織同士を剥離する際に用いられる挙上補助具において、先端部の外表面に、本体部の軸心と平行に複数の溝部を形成したことを特徴とする挙上補助具。
【請求項２】
本体部の外周面に切り欠き部を形成したことを特徴とする請求項１記載の挙上補助具。
【発明の詳細な説明】
【技術分野】
【０００１】
本発明は、挙上補助具に関し、特に、内部に内視鏡等を備え、表皮の皮切部から挿入して、癒着した組織同士を剥離する際に用いられる挙上補助具に関するものである。
【背景技術】
【０００２】
従来、内視鏡を用いて病巣等を確認しながら伏在静脈等の皮下血管を採取したり、病巣を有する臓器を摘出したりする外科処置では、表皮の皮切部から挿入する挙上補助具が用いられている（例えば、特許文献１及び２参照）。
【０００３】
この挙上補助具は、図５（ａ）に示すように、細長い管状の本体部５１と先端部５２とを主要構成部品として備えている。
管状の本体部５１は、内部に内視鏡の軸部が挿入され、内視鏡の先端に配備される照明窓及び観察窓Ｎを先端部５２が覆うように構成されている。
先端部５２は透明な合成樹脂材料等によって構成され、図５（ｃ）に示すように、内側に窪み５２ａを形成するスプーン状の形状（上に凸の流線形状）で、血管等を傷つけることがないように周縁５２ｂを曲線形状をなすようにしている。
本体部５１の他端側は、ハンドルＨと連結され、医師が片手で挙上補助具５０を操作できるように構成されている。
【０００４】
次に、この挙上補助具５０を用いて伏在静脈等の皮下血管を採取したり、病巣を有する臓器等を摘出したりする方法を説明する。
まず、患者の表皮４１の一部にメスを入れ、表皮４１の下層（脂肪等）の皮下組織及び皮下組織の下層の結合組織４２を皮切して皮切部４０を形成する。
そして、その皮切部４０から挙上補助具５０の先端部５２を挿入すると、先端部５２は癒着組織４３に到達する。
この状態で、必要に応じて、内視鏡を用いながら、挙上補助具５０の外表面で癒着組織４３を挙上して、剥離鉗子Ｃ等により癒着組織４３を剥離し、さらに、挙上補助具５０を押し進めて剥離処置を行うと、図６に示すように、挙上補助具５０によって伏在静脈等の血管４４（又は臓器等）から剥離された癒着組織４３が離脱して空間が形成され、血管４４（又は臓器等）が露出されて内視鏡の視野内に入る。
これにより、内視鏡によって血管４４（又は臓器等）を観察しながら、血管４４（又は臓器等）と癒着組織４３との剥離処置を進めることができ、挙上補助具５０の本体部５１に内視鏡と共に内挿した処置具や、挙上補助具５０によって形成した空間に挿入した別の処置具によって、血管４４（又は臓器等）の観察や摘出を行うこともできる。
【０００５】
【特許文献１】特開平９−１２２１３３号公報
【特許文献１】特開平９−７５３５４号公報
【発明の開示】
【発明が解決しようとする課題】
【０００６】
ところで、上記従来の挙上補助具は、血管４４（又は臓器等）と癒着組織４３とを剥離する先端部５２の外表面の形状がスプーン状のなだらかな曲面形状に形成されているため、血管４４（又は臓器等）と癒着組織４３とを剥離させながら挙上補助具５０を押し進めていく際に、挙上補助具５０の外表面で挙上した剥離後の癒着組織４３が、挙上補助具５０の外表面の幅方向で滑りやすく、剥離処置を行う際の支障となり、目標とする病巣等の部位に到達できないという問題があった。
【０００７】
本発明は、上記従来の挙上補助具の有する問題点に鑑み、皮切部からの挿入がスムーズに行えるとともに、血管（又は臓器等）と癒着組織とを剥離させながら押し進めても、挙上補助具の外表面で挙上した剥離後の癒着組織を、挙上補助具の外表面の幅方向で滑ることなく、安定した挙上状態で保持できる挙上補助具を提供することを目的とする。
【課題を解決するための手段】
【０００８】
上記目的を達成するため、本発明の挙上補助具は、処置具が挿入可能な管状の本体部と、該本体部の一端に配設され、処置具の作業空間を形成する窪みを有する先端部とからなり、表皮の皮切部から挿入して、癒着した組織同士を剥離する際に用いられる挙上補助具において、先端部の外表面に、本体部の軸心と平行に複数の溝部を形成したことを特徴とする。
【０００９】
この場合において、本体部の外周面に切り欠き部を形成することができる。
【発明の効果】
【００１０】
本発明の挙上補助具によれば、先端部の外表面に、本体部の軸心と平行に複数の溝部を形成することにより、挙上補助具を癒着組織を剥離しながら押し進めても、挙上補助具の外表面で挙上した剥離後の癒着組織を、挙上補助具の外表面の幅方向で滑ることなく、安定した挙上状態で保持でき、剥離処置等の処置を支障なく、正確に行うことができる。
【００１１】
また、本体部の外周面に切り欠き部を形成するときは、本体部を再利用する際の洗浄において、本体部の内部の隅々まで容易に洗浄することができる。
【発明を実施するための最良の形態】
【００１２】
以下、本発明の挙上補助具の実施の形態を、図面に基づいて説明する。
【実施例１】
【００１３】
図１〜図２に、本発明の挙上補助具の第１実施例を示す。
【００１４】
この挙上補助具１は、内視鏡や血管切開具、血管を結紮する結紮具等の処置具を内部に挿入可能な管状の本体部２と、本体部２の一端に配設され、処置具の作業空間を形成する窪み３ｃを有する先端部３とからなり、表皮４１の皮切部４０から挿入して先端部３の周縁３ｂで血管４４（又は臓器等）と癒着組織４３とを剥離する際に用いられる補助具であって、挙上補助具１の先端部３の外表面３ａに、本体部２の軸心と平行に複数の溝部４を形成するようにしている。
【００１５】
本体部２は、従来例と同様、ステンレススチール等の金属やポリカーボネート樹脂等の合成樹脂材料等によって構成される。
そして、本体部２の一端は、従来例と同様、ハンドルＨと連結され、医師が片手で挙上補助具１を操作できるように構成され、ハンドルＨの内部に空間Ｈａを形成し、管状の本体部２の内部空間２ａと連結部Ｈｂで連通し、図１（ｂ）に示す、矢符方向から処置具を挿入し、固定するようにしている。
【００１６】
先端部３は、従来例と同様、ポリカーボネート樹脂等の透明な合成樹脂材料等によって構成され、内視鏡を使用する際の視界を確保するように構成されている。
また、先端部３の形状は、特に限定されるものではないが、本実施例においては、従来例と同様に、内側に内視鏡等の処置具の作業空間となる窪み３ｃを形成するスプーン状の形状（上に凸の流線形状）をしている。
先端部３の周縁３ｂは、剥離鉗子Ｃ等により脂肪等の癒着組織４３から伏在静脈等の血管４４（又は臓器等）を剥離する際に、血管４４（又は臓器等）を傷つけることがないように、図２（ａ）及び（ｃ）に示すように、従来例と同様、曲線形状をなしている。
そして、皮切部４０から挿入した際（図３参照）に、癒着組織４３と接する外表面３ａに、本体部２の軸心と平行に複数の溝部４を形成するようにしている。
【００１７】
溝部４の本数及びその長さは、特に限定されず、例えば、図２（ａ）及び（ｂ）に示すように、外表面３ａの頂部Ｔ付近から周縁３ｂの手前まで２本形成したり、図２（ｃ）及び（ｄ）に示すように、外表面３ａの頂部Ｔ付近から周縁３ｂに到達する長さで３本形成したりすることができる。
また、本実施例においては、溝部４は、図２（ｂ）及び（ｄ）の断面図で示すように、外表面３ａから内側の窪み３ｃに貫通しないように形成した例を示すが、出血が少ない箇所で使用する場合には貫通孔としても構わない。
【００１８】
次に、この挙上補助具１を用いて伏在静脈等の皮下血管を採取したり、病巣を有する臓器等を摘出したりする方法を説明する。
【００１９】
まず、患者の表皮４１の一部にメスを入れ、表皮４１の下層（脂肪等）の皮下組織及び皮下組織の下層の結合組織４２を皮切して皮切部４０を形成する。
そして、その皮切部４０から挙上補助具１の先端部３を挿入すると、先端部３は癒着組織４３に到達する。
この状態で、必要に応じて、内視鏡を用いながら、挙上補助具１の外表面３ａで癒着組織４３を挙上して、剥離鉗子Ｃ等により癒着組織４３を剥離し、さらに、挙上補助具１を押し進めて剥離処置を行うと、図３に示すように、挙上補助具１によって伏在静脈等の血管４４（又は臓器等）から剥離された癒着組織４３が離脱して空間が形成され、血管４４（又は臓器等）が露出されて内視鏡の視野内に入る。
このとき、挙上補助具１の先端部３の外表面３ａに、本体部２の軸心と平行に複数の溝部４を形成することにより、挙上補助具１を癒着組織４３を剥離しながら押し進めても、挙上補助具１の先端部３の外表面３ａで挙上した剥離後の癒着組織４３を、挙上補助具１の先端部３の外表面３ａの幅方向で滑ることなく、安定した挙上状態で保持でき、剥離処置等の処置を支障なく、正確に行うことができる。
これにより、内視鏡によって血管４４（又は臓器等）を観察しながら、血管４４（又は臓器等）と癒着組織４３との剥離処置を進めることができ、挙上補助具１の本体部２に内視鏡と共に内挿した処置具や、挙上補助具１によって形成した空間に挿入した別の処置具によって、血管４４（又は臓器等）の観察や摘出を行うこともできる。
【実施例２】
【００２０】
図４に、本発明の挙上補助具の第２実施例を示す。
この挙上補助具１は、本体部２０の外周面に切り欠き部２１、２２、２３を形成するようにしている。
【００２１】
切り欠き部の形状は、特に限定されず、本体部２０を再利用の洗浄において、本体部２０の内部空間２０ａの隅々まで容易に洗浄することができるように形成すればよい。
【００２２】
図４（ａ１）〜（ａ３）に示すように、周上４箇所の対面同士を切り欠き、切り欠き部２１を８箇所に形成し、輪状のランド部２０ｂによって強度を確保するようにしたり、図４（ｂ１）〜（ｂ３）に示すように、本体部２０の外周面を半円状にカットして、１つの切り欠き部２２を形成したり、図４（ｃ１）〜（ｃ３）に示すように、本体部２０の外周面をスリット状に切り欠いた切り欠き部２３を形成することができる。
【００２３】
これにより、使用後の挙上補助具１の本体部２０から、先端部３及びハンドルＨを取り外して洗浄する際に、隅々まで容易に洗浄することができる。
【００２４】
なお、本実施例のその他の構成及び作用は、上記第１実施例と同様である。
【００２５】
以上、本発明の挙上補助具について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２６】
本発明の挙上補助具は、皮切部からの挿入がスムーズに行えるとともに、血管（又は臓器等）と癒着組織とを剥離させながら押し進めても、挙上補助具の外表面で挙上した剥離後の癒着組織を、挙上補助具の外表面の幅方向で滑ることなく、安定した挙上状態で保持できる特性を有していることから、本体に内視鏡を備えた挙上補助具のほか、内部に血管切開具や結紮具等を備えた挙上補助具の用途に好適に用いることができる。
【図面の簡単な説明】
【００２７】
【図１】本発明の挙上補助具の第１実施例を示し、（ａ）は全体側面図、（ｂ）は一部切り欠きの断面図である。
【図２】同挙上補助具の先端部を示し、（ａ）は平面図、（ｂ）は（ａ）のＸ−Ｘ断面図、（ｃ）は溝部の別の実施例を示す平面図、（ｄ）は（ｃ）のＹ−Ｙ断面図である。
【図３】同挙上補助具の使用例を示す一部切り欠きの断面図である。
【図４】本発明の挙上補助具の第２実施例を示し、（ａ１）は一部切り欠きの側面図、（ａ２）は（ａ１）のＸ１−Ｘ１断面図、（ａ３）は（ａ１）のＹ１−Ｙ１断面図、（ｂ１）は本体部の外周面に形成する切り欠き部の別の実施例を示す平面図、（ｂ２）は（ｂ１）のＸ２−Ｘ２断面図、（ｂ３）は（ｂ１）のＹ２−Ｙ２断面図、（ｃ１）は本体部の外周面に形成する切り欠き部のさらに別の実施例を示す平面図、（ｃ２）は（ｃ１）のＸ３−Ｘ３断面図、（ｃ３）は（ｃ１）のＹ３−Ｙ３断面図である。
【図５】従来の挙上補助具を示し、（ａ）は全体側面図、（ｂ）は先端部の平面図、（ｃ）は（ｂ）のＺ−Ｚ断面図である。
【図６】従来の挙上補助具の使用例を示す一部切り欠きの断面図である。
【符号の説明】
【００２８】
１    挙上補助具
２    本体部
２０  本体部
２１  切り欠き部
２２  切り欠き部
２３  切り欠き部
３    先端部
３ａ  外表面
３ｂ  周縁
３ｃ  窪み
４    溝部
【図１】
2010099388.tif 000003
【図２】
2010099388.tif 000004
【図３】
2010099388.tif 000005
【図４】
2010099388.tif 000006
【図５】
2010099388.tif 000007
【図６】
2010099388.tif 000008